(57)【特許請求の範囲】
【請求項１】
各々ＬＡＮに接続された複数のアマチュア無線端末装置と、各々が幹線にて接続されたアマチュア無線中継装置と、前記アマチュア無線中継装置の何れかに接続され、外部ネットワークに接続されたルータと、を含むネットワークシステムであって、
各アマチュア無線端末装置は、
自局コールサインおよび相手局コールサインが予め設定されており、
ＬＡＮからＬＡＮフレームを受信し、受信したＬＡＮフレームに、少なくとも相手局コールサインおよび自局コールサインを含む無線へッダを付加した無線フレームを生成してアマチュア無線により送信し、
アマチュア無線から無線フレームを受信した場合には、該無線フレームの無線へッダに含まれる相手局コールサインを自己に設定された自局コールサインと照合して一致するときには該無線フレームから無線へッダを除去してＬＡＮフレームを生成してＬＡＮに送信し、
各前記アマチュア無線中継装置は、
自己が管理するアマチュア無線端末装置のコールサインを記憶しており、
アマチュア無線から無線フレームを受信し、該無線フレームの無線へッダに含まれる相手局コールサインを自己が管理するコールサインと照合し、一致するときには該無線フレームを破棄もしくはアマチュア無線により送信し、一致しないときには該無線フレームを幹線に送信し、
幹線から無線フレームを受信し、該無線フレームの無線へッダに含まれる相手局コールサインを自己が管理するコールサインと照合し、一致するときには該無線フレームをアマチュア無線にて送信し、一致しないときには破棄もしくは再び幹線に送信し、
前記アマチュア無線中継装置の何れかに接続され、外部ネットワークに接続されたルータをさらに含み、
該ルータが接続されたアマチュア無線中継装置は、該ルータのコールサインを記憶しており、幹線もしくはアマチュア無線から受信した無線フレームの無線へッダに含まれる相手局コールサインが該ルータのコールサインと一致するときには、該無線フレームを該ルータに転送し、該ルータから無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ルータは、前記アマチュア無線中継装置から転送されてきた無線フレーム中の送信元のコールサインと送信元又は送信先のネットワークアドレスとを少なくとも対応付けて蓄積し、受信したＬＡＮフレームに含まれている送信対象の情報に送信元と送信先のネットワークアドレスを付して前記外部ネットワークに出力し、前記外部ネットワークより情報を受信した場合に、受信した情報に付されているネットワークアドレスに対応するコールサインを、蓄積しているコールサインのなかから検索し、検索したコールサインを含む無線ヘッダを含む無線フレームを合成し、これを前記アマチュア無線中継装置に出力する、
ことを特徴とするネットワークシステム。
【請求項２】
前記アマチュア無線中継装置の何れかに接続されたネットワークアドレス割当部をさらに含み、
該ネットワークアドレス割当部が接続されたアマチュア無線中継装置は、該ネットワークアドレス割当部のコールサインを記憶しており、幹線もしくはアマチュア無線から受信した無線フレームの無線へッダに含まれる相手局コールサインが該ネットワークアドレス割当部のコールサインと一致するときには、該無線フレームを該ネットワークアドレス割当部に転送し、該ネットワークアドレス割当部から無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ネットワークアドレス割当部は、該アマチュア無線中継装置から転送されてきた無線フレームから無線へッダを除去してＬＡＮフレームを生成し、該ＬＡＮフレームがネットワークアドレスの割当を要求するものであるときには、ネットワークアドレス割当処理を行ってＬＡＮフレームを生成し、生成したＬＡＮフレームに無線へッダを付加して該アマチュア無線中継装置に転送する、
ことを特徴とする請求項１に記載のネットワークシステム。
【請求項３】
自己が管理するアマチュア無線端末装置のコールサインを記憶するメモリと、
アマチュア無線で信号を送受信するアマチュア無線送受信手段と、
幹線との間で信号を授受する幹線インタフェースと、
アマチュア無線から無線フレームを受信し、該無線フレームの無線へッダに含まれる相手局コールサインを前記メモリに記憶されているコールサインと照合し、一致すると判別された際には、該無線フレームを破棄もしくはアマチュア無線により送信し、一致しないときには該無線フレームを前記幹線インタフェースを介して幹線に送信し、幹線から幹線インタフェースを介して無線フレームを受信し、該無線フレームの無線へッダに含まれる相手局コールサインを自己が管理するコールサインと照合し、一致するときには該無線フレームを前記アマチュア無線送受信手段によりアマチュア無線にて送信し、一致しないときには破棄もしくは前記幹線インタフェースを介して幹線に送信する制御手段と、
ネットワークアドレス割当部と、
外部ネットワークとの通信を可能とするルータと、を含み、
前記メモリは前記ネットワークアドレス割当部のコールサインを記憶しており、
前記制御手段は、幹線もしくはアマチュア無線から受信した無線フレームの無線へッダに含まれる相手局コールサインが該ネットワークアドレス割当部のコールサインと一致するときには、該無線フレームを該ネットワークアドレス割当部に転送させ、該ネットワークアドレス割当部から無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ネットワークアドレス割当部は、無線中継装置から転送されてきた無線フレームから無線へッダを除去してＬＡＮフレームを生成し、該ＬＡＮフレームがネットワークアドレスの割当を要求するものであるときには、ネットワークアドレス割当処理を行い、生成したＬＡＮフレームに相手局コールサインを含む無線へッダを付加して無線中継装置に転送し、
前記メモリは前記ルータのコールサインを記憶しており、
前記制御手段は、幹線もしくはアマチュア無線から受信した無線フレームの無線へッダに含まれる相手局コールサインが該ルータのコールサインと一致するときには、該無線フレームを該ルータに転送させ、該ルータから無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ルータは、無線中継装置から転送されてきた無線フレームからコールサインとネットワークアドレスとを抽出して記憶し、該当する情報をネットワーク上に出力し、ネットワーク上のシステムから情報を受信すると、その情報に含まれているネットワークアドレスから、予め記憶しておいたコールサインを判別し、判別したにコールサインを含む無線ヘッダと受信した情報を含むＬＡＮフレームとを備える無線フレームを合成して前記無線中継装置に出力する、
ことを特徴とする無線中継装置。
【発明の詳細な説明】
【０００１】
【発明の属する技術分野】
この発明はアマチュア無線を用いたデータ通信技術に関する。
【０００２】
【従来の技術】
近年、アマチュア無線の世界においても、データの送受信を目的とするパケット通信が行われている。アマチュア無線によるパケット通信としては、リンク層プロトコルにアマチュア無線独自のＡＸ．２５というプロトコルを用いるものが代表例である。
【０００３】
アマチュア無線により通信を行う場合、相手局をコールサインにより指定しなければならない。このため、このＡＸ．２５にあっては、パケットのへッダー部分にアマチュア無線局のコールサインを含めること等が規定されている。
【０００４】
また、一部のアマチュア無線家の間では、アマチュア無線によるパケット通信を、ＴＣＰ／ＩＰプロトコル等によるネットワークとして運用する試みがなされている。しかし、現状においては、アマチュア無線に使用されるデータ通信用無線機やＡＸ．２５を実現する無線化モデムが低速であるため、満足できる接続が得られない状況にある。
【０００５】
しかし、最近、高速伝送が可能なデータ通信用無線機やモデムの開発によって、高速のデータ通信が可能となりつつある。ただ、もう一つの問題として、従来におけるパケット通信にあっては、デー夕を無線化するモデムとコンピュータとがＲＳ２３２Ｃという低速のインターフェースにより接続されていたため、いくら無線機やモデムの性能を向上させたとしても、既存のＬＡＮ等の伝送速度と比較して通信速度に限界がある。そこで、高速のデータ通信を可能とすべく、汎用的なＬＡＮに用いられているイーサネット（登録商標）を接続インターフェースとするモデムにより、アマチュア無線によるパケット通信を直接イーサネットに接続する試みがなされている。
【０００６】
【発明が解決しようとする課題】
しかし、上述の試みにあっては、イーサネットを流れるデータからイーサネットヘッダを削除してＡＸ．２５へッダを付加する、もしくはその逆を行うというようなプロトコル変換の機能をモデムにもたせる必要がある。また、このようなデー夕リンク層以下のプロトコル変換を行うため、その上位層（ＴＣＰ／ＩＰ等）によるルーター機能をモデムにもたせる必要があり、モデムにかなりの負荷が要求される。そのため、それらの処理のみを特別に行うプロトコルサーバー等を別途使用する必要があった。
【０００７】
この発明は上記実状に鑑みてなされたもので、アマチュア無線を用いても、高速のデータ通信を可能とするネットワークシステムを提供することを目的とする。
また、この発明は、簡単な構成で、アマチュア無線を用いても、高速のデータ通信を可能とすることを他の目的とする。
【０００８】
【課題を解決するための手段】
上記目的を達成するため、本発明の第１の観点に係るネットワークシステムは、
各々ＬＡＮに（直接又は間接的に）接続された複数のアマチュア無線端末装置と、各々が幹線にて接続されたアマチュア無線中継装置と、前記アマチュア無線中継装置の何れかに接続され、外部ネットワークに接続されたルータと、を含むネットワークシステムであって、
各アマチュア無線端末装置は、
自局コールサインおよび相手局コールサインが予め設定されており、
ＬＡＮからＬＡＮフレームを受信し、受信したＬＡＮフレームに、少なくとも相手局コールサインおよび自局コールサインを含む無線へッダを付加した無線フレームを生成してアマチュア無線により送信し、
アマチュア無線から無線フレームを受信した場合には、該無線フレームの無線へッダに含まれる相手局コールサインを自己に設定された自局コールサインと照合して一致するときには該無線フレームから無線へッダを除去してＬＡＮフレームを生成してＬＡＮに送信し、
各前記アマチュア無線中継装置は、
自己が管理するアマチュア無線端末装置のコールサインを記憶しており、
アマチュア無線から無線フレームを受信し、該無線フレームの無線へッダに含まれる相手局コールサインを自己が管理するコールサインと照合し、一致するときには該無線フレームを破棄もしくはアマチュア無線により送信し、一致しないときには該無線フレームを幹線に送信し、
幹線から無線フレームを受信し、該無線フレームの無線へッダに含まれる相手局コールサインを自己が管理するコールサインと照合し、一致するときには該無線フレームをアマチュア無線にて送信し、一致しないときには破棄もしくは再び幹線に送信し、
該ルータが接続されたアマチュア無線中継装置は、該ルータのコールサインを記憶しており、幹線もしくはアマチュア無線から受信した無線フレームの無線へッダに含まれる相手局コールサインが該ルータのコールサインと一致するときには、該無線フレームを該ルータに転送し、該ルータから無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ルータは、前記アマチュア無線中継装置から転送されてきた無線フレーム中の送信元のコールサインと送信元又は送信先のネットワークアドレスとを少なくとも対応付けて蓄積し、受信したＬＡＮフレームに含まれている送信対象の情報に送信元と送信先のネットワークアドレスを付して前記外部ネットワークに出力し、前記外部ネットワークより情報を受信した場合に、受信した情報に付されているネットワークアドレスに対応するコールサインを、蓄積しているコールサインのなかから検索し、検索したコールサインを含む無線ヘッダを含む無線フレームを合成し、これを前記アマチュア無線中継装置に出力する。
【００１０】
前記ネットワークシステムは、各アマチュア無線中継装置の何れかに接続されたネットワークアドレス割当部をさらに含んでもよい。
この場合、
該ネットワークアドレス割当部が接続されたアマチュア無線中継装置は、該ネットワークアドレス割当部のコールサインを記憶しており、幹線もしくはアマチュア無線から受信した無線フレームの無線へッダに含まれる相手局コールサインが該ネットワークアドレス割当部のコールサインと一致するときには、該無線フレームを該ネットワークアドレス割当部に転送し、該ネットワークアドレス割当部から無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ネットワークアドレス割当部は、該アマチュア無線中継装置から転送されてきた無線フレームから無線へッダを除去してＬＡＮフレームを生成し、該ＬＡＮフレームがネットワークアドレスの割当を要求するものであるときには、ネットワークアドレス割当処理を行ってＬＡＮフレームを生成し、生成したＬＡＮフレームに無線へッダを付加して該アマチュア無線中継装置に転送する、
ように構成してもよい。
【００１３】
上記目的を達成するため、本発明の第２の観点に係る無線中継装置は、
自己が管理するアマチュア無線端末装置のコールサインを記憶するメモリと、
アマチュア無線で信号を送受信するアマチュア無線送受信手段と、
幹線との間で信号を授受する幹線インタフェースと、
アマチュア無線から無線フレームを受信し、該無線フレームの無線へッダに含まれる相手局コールサインを前記メモリに記憶されているコールサインと照合し、一致すると判別された際には、該無線フレームを破棄もしくはアマチュア無線により送信し、一致しないときには該無線フレームを前記幹線インタフェースを介して幹線に送信し、幹線から幹線インタフェースを介して無線フレームを受信し、該無線フレームの無線へッダに含まれる相手局コールサインを自己が管理するコールサインと照合し、一致するときには該無線フレームを前記アマチュア無線手段によりアマチュア無線にて送信し、一致しないときには破棄もしくは前記幹線インタフェースを介して幹線に送信する制御手段と、
外部ネットワークとの通信を可能とするルータと、を含み、
前記メモリは前記ネットワークアドレス割当部のコールサインを記憶しており、
前記制御手段は、幹線もしくはアマチュア無線から受信した無線フレームの無線へッダに含まれる相手局コールサインが該ネットワークアドレス割当部のコールサインと一致するときには、該無線フレームを該ネットワークアドレス割当部に転送させ、該ネットワークアドレス割当部から無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ネットワークアドレス割当部は、無線中継装置から転送されてきた無線フレームから無線へッダを除去してＬＡＮフレームを生成し、該ＬＡＮフレームがネットワークアドレスの割当を要求するものであるときには、ネットワークアドレス割当処理を行い、生成したＬＡＮフレームに相手局コールサインを含む無線へッダを付加して無線中継装置に転送し、
前記無線中継装置は外部ネットワークとの通信を可能とするルータをさらに含み、
前記メモリは前記ルータのコールサインを記憶しており、
前記制御手段は、幹線もしくはアマチュア無線から受信した無線フレームの無線へッダに含まれる相手局コールサインが該ルータのコールサインと一致するときには、該無線フレームを該ルータに転送させ、該ルータから無線フレームが転送されてきたときには、該無線フレームの無線へッダに含まれる相手局コールサインを自己が管理するコールサインと照合し、一致するときには該無線フレームをアマチュア無線により送信し、一致しないときには該無線フレームを幹線に送信し、
前記ルータは、無線中継装置から転送されてきた無線フレームからコールサインとネットワークアドレスとを抽出して記憶し、該当する情報をネットワーク上に出力し、ネットワーク上のシステムから情報を受信すると、その情報に含まれているネットワークアドレスから、予め記憶しておいたコールサインを判別し、判別したにコールサインを含む無線ヘッダと受信した情報を含むＬＡＮフレームとを備える無線フレームを合成して前記無線中継装置に出力する、
ことを特徴とする。
【００１６】
【発明の実施の形態】
本発明の実施の形態に係るネットワークシステムを図面を参照して説明する。
この実施の形態のネットワークシステムは、図１に示すように、複数の無線中継局１１（１１１〜１１３）と、無線端末１３（１３１１〜１３１ｎ、１３２１〜１３２ｍ、１３３１〜１３３ｋ）と、ＬＡＮ１５（１５１１〜１５１ｎ、１５２１〜１５２ｍ、１５３１〜１５３ｋ）と、コンピュータ１７（１７１１〜１７１ｎ、１７２１〜１７２ｍ、１７３１〜１７３ｋ）、ＤＨＣＰ（Dynamic Host Configuration Protocol)１９（１９１〜１９３）と、ルータ２１と、から構成されている。
【００１７】
各無線端末（アマチュア無線端末装置）１３は、アマチュア無線のコールサインが割り当てられており、所属するエリアを管轄する中継局１１にアマチュア無線で接続され、データを送受信する１台又は複数台のコンピュータ１７にＬＡＮ１５を介して接続されている。
【００１８】
各無線端末１３は、図２に例示するように、ＬＡＮ（ローカルエリアネットワーク）インターフェース（ＩＦ）１３１と、モデム１３２と、アマチュア無線送受信機１３６と、コントローラ１３７とを備える。また、モデム１３２は、無線ヘッダ処理部１３３とコールサイン照合部１３４と、を備える。
【００１９】
ＬＡＮインターフェース１３１は、全ての無線端末１３に同一種類のものが使用される。
これは、ネットワークシステムが、各無線端末１３に接続されるＬＡＮ１５間を、物理層で接続する（ＬＡＮフレーム自体の構造を変換しない）構成を有し、同一種類のＬＡＮ１５が使用される必要があるためである。本実施形態にあっては、ＬＡＮ１５としてイーサネットを使用する。そのため、ＬＡＮインターフェース１３１は、イーサネットインターフェース（１０Ｂａｓｅ−Ｔ等）が採用されている。
【００２０】
ＬＡＮインターフェース１３１は、図２に例示するように、複数のコンピュータ１７が接続されたＬＡＮの幹線（１０Ｂａｓｅ−Ｔケーブル等）１５等にブリッジ等を介して接続される。なお、ＬＡＮインタフェース１３１は、１台のコンピュータ１７のＬＡＮインターフェースに直接接続されてもよい。
【００２１】
モデム１３２の無線ヘッダ処理部１３３は、データ送信元のコンピュータ１７より、ＬＡＮインターフェース１３１を介して、図３（ａ）に示すＬＡＮフレーム（イーサネットフレーム）を受信する。ＬＡＮフレームは、通常知られているように、送信元のＭＡＣ（Media Access Control)アドレス及びＩＰアドレス、送信先のＭＡＣアドレス及びＩＰアドレスと、送信対象のデータ、等を含む。無線ヘッダ処理部１３３は、このＬＡＮフレームに、自局コールサインと相手局コールサインとを含む無線へッダを付加し、図３（ｂ）に示す無線フレームを生成する。無線ヘッダ処理部１３３は、生成した無線フレームをアマチュア無線送受信機１３６に供給する。
【００２２】
また、無線ヘッダ処理部１３３は、アマチュア無線送受信機１３６から図３（ｂ）に示す無線フレームを受信し、コールサイン照合部１３４からの指示に従い、1)無線フレーム中の無線へッダを削除して、ＬＡＮインタフェース１３１に提供し、或いは、2)  受信した無線フレームを破棄する。
【００２３】
管理メモリ１３５は、図３（ｃ）に示すように、自局コールサイン及び相手局の無線端末１３のコールサイン（相手局コールサイン）とを予め記憶する。相手局コールサインは、コントローラ１３７により適宜設定される。
コールサイン照合部１３４は、アマチュア無線送受信機１３６から図３（ｂ）に示す無線フレームを受信し、無線ヘッダに含まれている相手局コールサインを自己のコールサインと照合する。コールサイン照合部１３４は、相手局コールサインが自己のコールサインに合致する場合には、無線ヘッダ処理部１３３に、無線へッダの削除を指示する。コールサイン照合部１３４は、相手局コールサインが自己のコールサインと異なる場合には、無線ヘッダ処理部１３３に、無線フレームの廃棄を指示する。
【００２４】
各無線端末１３のアマチュア無線送受信機１３６は、受信状態においては、受信した信号を復調して、モデム１３２に供給する。また、アマチュア無線送受信機１３６は、モデム１３２から供給された無線フレームを、アマチュア無線で送信する。なお、アマチュア無線送受信機１３６の送信チャネル及び受信チャネルは、コントローラ１３７により適宜設定される。
【００２５】
コントローラ１３７は、ＬＡＮに接続されたコンピュータ１７のうちの１台又は他のコンピュータ（図２では、コンピュータ１７１）の外部接続端子、例えば、ＵＳＢ（Universal Serial Bus)端子に接続される。コントローラ１３７は、コンピュータ１７からの指示に従って、管理メモリ１３５に登録されている相手局コールサインを切り替え、アマチュア無線送受信機１３６の通信チャネルを設定する。
【００２６】
このような構成により、各無線端末１３は、データ送信元のコンピュータ１７からの送信対象ＬＡＮフレームをＬＡＮインターフェース１３１で受信し、モデム１３２で無線へッダを付加して無線フレームを生成し、アマチュア無線送受信機１３６から送信する。また、各無線端末１３は、アマチュア無線送受信機１３６で、アマチュア無線信号を受信・復調し、モデム１３２で自己宛か否かを判別し、自己宛の場合には、無線へッダを削除してＬＡＮフレームを生成し、ＬＡＮインターフェース１３１から、ＬＡＮ１５に出力する。
【００２７】
図１の無線中継局（アマチュア無線中継装置）１１は、幹線ＭＬにより相互に接続されている。各無線中継局１１は、図４に示すように、幹線ＭＬに接続されたインタフェース（ＩＦ）１１１と、コールサイン照合部１１２と、アマチュア無線送受信機１１４とを有し、ＤＨＣＰ１９に接続されている。なお、図１の無線中継局１１２については、図４に破線で示すように、ルータ２１にも接続されている。
【００２８】
インタフェース１１１は、幹線ＭＬ上を伝送される無線フレームを取り込んで、コールサイン照合部１１２に提供する。また、コールサイン照合部１１２から提供された無線フレームを幹線ＭＬ上に出力する。
【００２９】
コールサイン照合部１１２は、管理メモリ１１３を備え、ＤＨＣＰ１９及びルータ２１（無線中継局１１２の場合）に接続されている。
【００３０】
管理メモリ１１３には、図５（ｂ）に示すように、この無線中継局１１が管理する対象の無線端末（無線中継局１１の管轄エリア内の登録済みの無線端末）１３のコールサインと、この無線中継局１１に接続されているＤＨＣＰ１９のコールサインとルータ２１のコールサインとが予め登録されている。なお、ルータ２１が接続されていない無線中継局１１については、管理メモリ１１３は、図５（ａ）に示すように、管理する管轄無線端末１３のコールサインと、この無線中継局１１に接続されているＤＨＣＰ１９のコールサインとを記憶し、ルータ２１のコールサインは記憶していない。
【００３１】
コールサイン照合部１１２は、インタフェース１１１から無線フレームを受信し、無線ヘッダに含まれている相手局コールサインと管理メモリ１１３に登録されている管理対象コールサインとを照合し、一致する場合には、その無線フレームをアマチュア無線送受信機１１４に供給する。一方、コールサイン照合部１１２は、一致しないと判別した場合には、他のエリアに属する無線端末宛であると判断して該無線フレームを破棄もしくは幹線ＭＬに再送出する（幹線の種類に従う）。
【００３２】
一方、コールサイン照合部１１２は、アマチュア無線送受信機１１４から無線フレームを受信すると、無線ヘッダに含まれている相手局コールサインと管理メモリ１１３に登録されている管理対象コールサインとを照合し、無線端末のコールサインのいずれかと一致する場合には、予め定められた基準に従って、その無線フレームをアマチュア無線送受信機１１４に返送又は破棄する。なお、返送するか破棄するかは、例えば、無線端末間のＰｔｏＰによる直接通信が可能な場合は破棄し、無線中継局１１を経由する必要がある場合はアマチュア無線により送信するというような基準に従って、予め設定されている。
【００３３】
また、コールサイン照合部１１２は、相手局コールサインが管理メモリ１１３に登録されているＤＨＣＰ１９のコールサイン又はルータ２１のコールサインに一致する場合には、それらに、その無線フレームを提供する。さらに、コールサイン照合部１１２は、相手局コールサインが管理メモリ１１３に登録されているコールサインのいずれとも一致しない場合には、インタフェース１１１に、その無線フレームを提供する。
【００３４】
アマチュア無線送受信機１１４は、自己の管轄エリア内の無線端末１３とアマチュア無線により、全二重の通信が可能な無線装置である。
【００３５】
なお、幹線ＭＬは、無線フレームを、その無線フレームの無線ヘッダに含まれている相手局コールサインを管理する無線中継局１１に、そのままの形で届けることができるものであれば、どのような通信回線もしくは接続形態であってもよく、有線であっても無線であってもよい。
【００３６】
ＤＨＣＰ（Dynamic Host Configuration Protocol;  ネットワークアドレス割当部）１９は、ＬＡＮ１５の端末（コンピュータ）１７にＩＰ（Internet Protocol)アドレス（ネットワークアドレス）を割り当てるためのものであり、コールサインが設定されているとともに、無線へッダの付加や削除を行う機能を有する。
【００３７】
具体的には、ＤＨＣＰ１９は、図６に示すように、インタフェース１９１と、無線ヘッダ処理部１９３と、IPアドレス割当処理部１９５とを備える。
インタフェース１９１は、無線中継局１１との間で信号を授受するための装置であり、ＤＨＣＰ１９のコールサインを記憶し、無線中継局１１から提供された無線フレームを無線ヘッダ処理部１９３に提供する。また、インタフェース１９１は、無線ヘッダ処理部１９３から供給された無線フレームを、無線中継局１１に送信する。
【００３８】
無線ヘッダ処理部１９３は、インタフェース１９１から送信された無線フレーム（図３（ｂ））の無線ヘッダ部を記憶すると共に削除して、ＬＡＮフレーム（図３（ａ））を生成し、IPアドレス割当処理部１９５に出力する。
【００３９】
また、IPアドレス割当処理部１９５から供給されたＬＡＮフレーム（図３（ａ））に、先に削除した無線ヘッダに含まれていた自局及び相手局コールサインとをそれぞれ相手局及び自局コールサインとして含む無線ヘッダを付加して無線フレーム（図３（ｂ））を生成し、インタフェース１９１に供給する。
【００４０】
IPアドレス割当処理部１９５は、無線ヘッダ処理部１９３から供給されたＬＡＮフレーム中のIPアドレス割当要求に応答して、要求元のコンピュータ１７にIPアドレスを割り当てる。IPアドレス割当処理部１９５は、新規IPアドレスを含むＬＡＮフレームを生成し、無線ヘッダ処理部１９３に送信する。
【００４１】
このような構成とすることにより、各無線端末１３に、相手局コールサインの１つとして自エリアのＤＨＣＰ１９のコールサインを設定し、その無線端末１３に接続された新規コンピュータ１７から、IPアドレス割当要求を発信すると、この要求がＤＨＣＰ１９に届き、このＤＨＣＰ１９によりＩＰアドレスが発行され、コンピュータ１７がＩＰアドレスを取得することが可能になる。
【００４２】
ルータ２１は、一部の無線中継局１１に接続され、このネットワークシステムを外部のインターネットに接続するための装置であり、コールサインが設定されているとともに、無線へッダの付加や削除を行う機能を有する。
【００４３】
具体的には、ルータ２１は、図７（ａ）に示すように、インタフェース２１１と、無線ヘッダ処理部２１３と、ゲートウエイ（ＧＷ）２１５とを備える。
【００４４】
インタフェース２１１は、無線中継局１１との間で信号を授受するための装置であり、ルータ２１のコールサインを記憶し、無線中継局１１から提供された無線フレームを無線ヘッダ処理部２１３に提供する。また、インタフェース２１１は、無線ヘッダ処理部２１３から供給された無線フレームを、無線中継局１１に送信する。
【００４５】
無線ヘッダ処理部２１３は、コールサインと送信元のＩＰアドレスとを対応付ける図７（ｂ）に示すような対照表を記憶する。無線ヘッダ処理部２１３は、インタフェース２１１から送信された無線フレーム（図３（ｂ））を解析し、送信元のコールサインとＩＰアドレスとを求め、対照表に追加的に記憶する。無線フレーム中の無線ヘッダを削除して、ＬＡＮフレーム（図３（ａ））を生成し、ＧＷ２１５に出力する。
【００４６】
また、無線ヘッダ処理部２１３は、ＧＷ２１５から供給されたＬＡＮフレームを解析し、送信先のコンピュータ１７のIPアドレスを求める。続いて、このIPアドレスに対応するコールサインを対照表から求め、これを相手局コールサインとし、この相手局コールサインと自局コールサインを含む無線へッダを生成して、ＬＡＮフレームに付加した無線フレームを生成し、インタフェース２１１に供給する。
【００４７】
ＧＷ２１５は、無線ヘッダ処理部２１３から供給されたＬＡＮフレームに従って、所定のプロトコル変換やルーティング処理を実行する。また、ＧＷ２１５は、インターネット２３上の情報を受け付けて、無線ヘッダ処理部２１３に送信する。なお、ＬＡＮがイーサネットの場合には、ＧＷ２１５は、例えば、通常のイーサネットルータから構成される。
【００４８】
このような構成とすることにより、各無線端末１３に、相手局コールサインの１つとしてルータ２１のコールサインを設定し、その無線端末１３に接続された新規コンピュータ１７から、任意の情報を発信すると、この情報がインターネット２３上に出力され、また、インターネット２３から提供された情報が、要求元のコンピュータ１７に提供される。
【００４９】
次に、上記構成のネットワークシステムの動作を説明する。
１．［IPアドレスの取得動作］
図１の示すシステムにコンピュータ１７が新規に導入されると、そのコンピュータ１７に固定又は一時的なIPアドレスが割り当てられる。IPアドレスを割り当てる手法は任意である。例えば、ＬＡＮ１５上の管理装置（ルータやサーバ）がIPアドレスを割り振るようにしてもよい。
【００５０】
ただし、ＬＡＮ１５上にIPアドレスを割り当てるシステムが用意されていない場合には、ＤＨＣＰ１９によるIPアドレスの割り当てを利用できる。
【００５１】
以下、コンピュータ１７１１が新規に導入され、ＤＨＣＰ１９によるIPアドレスの取得する方法を説明する。
この場合には、まず、無線端末１３１１のコールサイン照合部１３４の管理メモリ１３５に、相手局コールサインとして、同一エリア内のＤＨＣＰ１９１のコールサインを登録する。
【００５２】
次に、コンピュータ１７１１から、IPアドレスの発行要求を含むＬＡＮフレームをＬＡＮ１５１１上に出力する。このＬＡＮフレームは、無線端末１３１１のＬＡＮＩＦ１３１を介してモデム１３２に送信される。モデム１３２の無線ヘッダ処理部１３３は、管理メモリ１３５の内容に従って、相手局コールサインとしてＤＨＣＰ１９１のコールサインを含み、自局コールサインとして無線端末１３１１のコールサインを含む無線ヘッダを生成してＬＡＮフレームに付加し、無線フレームを生成する。この無線フレームは、アマチュア無線送受信機１３６によりアマチュア無線により送信される。
【００５３】
無線中継局１１１は、自己の管轄エリア（エリア１）内の無線端末１３１１からの無線信号をアマチュア無線送受信機１１４で受信し、無線フレームを復号して、コールサイン照合部１１２に供給する。コールサイン照合部１１２は、無線ヘッダ内の相手局コールサインが、管理メモリ１１３に登録されているＤＨＣＰ１９１のコールサインに一致することを判別し、該無線フレームを、ＤＨＣＰ１９１に提供する。
【００５４】
ＤＨＣＰ１９１は、無線中継局１１１からの無線フレームをＩＦ１９１で受信し、無線ヘッダ処理部１９３に供給する。無線ヘッダ処理部１９３は、無線ヘッダ内の自局コールサインを抽出して記憶し、ＬＡＮフレームをIPアドレス割当処理部１９５に供給する。IPアドレス割当処理部１９５は、ＬＡＮフレームの内容を解析し、要求に応答して、IPアドレスをコンピュータ１７１１に割り当て、割り当てたIPアドレスを含むＬＡＮフレームを無線ヘッダ処理部１９３に送信する。無線ヘッダ処理部１９３は、先に記憶しておいたコールサインを相手局コールサイン、自己のコールサインを自局コールサインとして含む無線ヘッダを生成する。無線ヘッダ処理部１９３は、生成した無線ヘッダをＬＡＮフレームに付加して無線フレームを生成し、インタフェース１９１を介して無線中継局１１１に供給する。
【００５５】
無線中継局１１１のコールサイン照合部１１２は、ＤＨＣＰ１９１からの無線フレームを受信し、その無線ヘッダ内の相手局コールサインが管理メモリ１１３に登録されているコールサインに一致するか判別する。この例では、無線端末１３１１のコールサインに一致する。従って、コールサイン照合部１１２は、ＤＨＣＰ１９１からの無線フレームをアマチュア無線送受信機１１４に供給し、アマチュア無線送受信機１１４がこれを管轄エリア内の無線端末１３１１〜１３１ｎに送信する。
【００５６】
無線端末１３１１〜１３１ｎは、このアマチュア無線信号をアマチュア無線送受信機１３６で受信し、復調した無線フレームをモデム１３２に供給する。
【００５７】
無線端末１３１２〜１３１ｎのモデム１３２のコールサイン照合部１３４は、無線ヘッダに含まれている相手局コールサインが自己のコールサインに一致しないことを判別して、その旨を無線ヘッダ処理部１３３に通知する。無線ヘッダ処理部１３３は、この無線フレームを破棄する。
【００５８】
一方、無線端末１３１１のモデム１３２のコールサイン照合部１３４は、無線ヘッダに含まれている相手局コールサインが自己のコールサインに一致すると判別し、その旨を無線ヘッダ処理部１３３に通知する。無線ヘッダ処理部１３３は、無線フレームから無線ヘッダを削除し、ＬＡＮフレームを再生して、ＬＡＮＩＦ１３１、ＬＡＮ１５１１を介してコンピュータ１７１１に提供する。コンピュータ１７１１には、ＬＡＮフレームを解析し、IPアドレスを取得する。
【００５９】
このようにして、各コンピュータ１７は、自エリア内のＤＨＣＰ１９からIPアドレスを取得することができる。
【００６０】
２．［同一エリアのコンピュータ１７間の通信］
同一エリアに属すコンピュータ１７同士でデータ通信を行う方法としては、無線端末１３同士が直接アマチュア無線通信を行ってデータ通信を行う方法と、無線中継局１１を介す場合とがある。
【００６１】
２−１．無線端末１３同士がデータ通信を直接行う方法
まず、無線端末１３同士が直接アマチュア無線通信を行うことにより、同一エリア内のコンピュータ１７同士がデータ通信を行う方法を、ＬＡＮ１５１１上のコンピュータ１７１１とＬＡＮ１５１２上のコンピュータ１７１２とがデータ通信を行う場合を例に説明する。
【００６２】
この場合、予め、無線端末１３１１の管理メモリ１３５に、相手局コールサインとして無線端末１３１２のコールサインを設定し、無線端末１３１２の管理メモリ１３５に、相手局コールサインとして無線端末１３１１のコールサインを設定しておく。さらに、無線中継局１１１のコールサイン照合部１１２に、アマチュア無線送受信機１１４で復号された無線フレームの無線ヘッダ中の相手局コールサインが、管理メモリ１１３に登録されている同一エリア内の無線端末１３１１〜１３１ｎのコールサインである場合には、その無線フレームを廃棄する旨を設定しておく。また、無線端末１３１１の送信チャネルと受信チャネルとを、無線端末１３１２の受信チャネルと送信チャネルとにそれぞれ一致させる。
【００６３】
このような設定とすることにより、ＬＡＮ１５１１とＬＡＮ１５１２とは、直接接続されたに等価な状態になり、ＬＡＮ１５１１上のコンピュータ１７１１とＬＡＮ１５１２上のコンピュータ１７１２とは、ＬＡＮ１５１１と無線端末１３１１と無線端末１３１２とＬＡＮ１５１２とを介して任意にデータを送受信することができる。
【００６４】
具体的に説明すると、例えば、コンピュータ１７１１がコンピュータ１７１２にデータを送信するとする。この場合、コンピュータ１７１１は、コンピュータ１７１２のＭＡＣアドレス及びIPアドレス、自己のＭＡＣアドレス及びIPアドレス、送信対象データ、等を含むＬＡＮフレームを生成して、ＬＡＮ１５１１に出力する。
【００６５】
このＬＡＮフレームは、無線端末１３１のＬＡＮＩＦ１３１を介してモデム１３２に送信される。モデム１３２の無線ヘッダ処理部１３３は、管理メモリ１３５の内容に従って、相手局コールサインとして無線端末１３１２のコールサインを含み、自局コールサインとして無線端末１３１１のコールサインを含む無線ヘッダを生成してＬＡＮフレームに付加し、無線フレームを生成する。この無線フレームは、アマチュア無線送受信機１３６によりアマチュア無線により送信される。
【００６６】
無線端末１３１２〜１３１ｎは、無線端末１３１１からの無線信号をアマチュア無線送受信機１３６で受信すると、無線フレームを復号して、モデム１３２に提供する。モデム１３２のコールサイン照合部１３４は、無線ヘッダ内の相手局コールサインが、自己のコールサインに一致するか否かを判別する。すると、無線端末１３１２のコールサイン照合部１３４だけが、一致すると判別し、他は不一致と判別する。
【００６７】
従って、無線端末１３１２の無線ヘッダ処理部１３３は、受信した無線フレームから無線ヘッダを削除して、ＬＡＮフレームを再生し、ＬＡＮＩＦ１３１を介してＬＡＮ１５１２上に出力する。ＬＡＮ１５１２上のコンピュータ１７１２は、伝送されているＬＡＮフレームの宛先アドレスをチェックし、自己宛であれば、これを取り込んで処理し、自己宛でなければ、これを無視する。
【００６８】
また、無線中継局１１１は、無線端末１３１１からの無線信号をアマチュア無線送受信機１１４で受信すると、無線フレームを復号して、モデム１３２に提供する。コールサイン照合部１１２は、無線ヘッダ内の相手局コールサインが、管理メモリ１１３に登録されている自己の管轄エリア内の無線端末１３１２のコールサインに一致すると判別し、この無線フレームを破棄する。
【００６９】
このようにして、同一エリア内のコンピュータ１７は、無線端末１３間のアマチュア無線による直接通信によりデータ転送が可能である。このとき、無線中継局１１によるデータの再送信等による妨害も存在しない。
【００７０】
２−２．無線端末１３同士が無線中継局１１を介してデータ通信を直接行う方法次に、無線端末１３同士が無線中継局１１を介してデータ通信を行うことにより、同一エリア内のコンピュータ１７同士がデータ通信を行う方法を、ＬＡＮ１５１１上のコンピュータ１７１１とＬＡＮ１５１２上のコンピュータ１７１２とがデータ通信を行う場合を例に説明する。
【００７１】
この場合、予め、無線端末１３１１の管理メモリ１３５に、相手局コールサインとして無線端末１３１２のコールサインを設定し、無線端末１３１２の管理メモリ１３５に、相手局コールサインとして無線端末１３１１のコールサインを設定しておく。さらに、無線中継局１１１のコールサイン照合部１１２に、アマチュア無線送受信部１１４で復号された無線フレームの無線ヘッダ中の相手局コールサインが、管理メモリ１１３に登録されている同一エリア内の無線端末１３１１〜１３１ｎのコールサインである場合には、その無線フレームをアマチュア無線送受信機１１４により再送信する旨を設定しておく。また、無線端末１３１１〜１３１ｎの送信チャネルと受信チャネルとを、無線中継局１１１の受信チャネルと送信チャネルとにそれぞれ一致させる。
【００７２】
このような設定とすることにより、ＬＡＮ１５１１とＬＡＮ１５１２とは、直接接続されたに等価な状態になり、ＬＡＮ１５１１上のコンピュータ１７１１とＬＡＮ１５１２上のコンピュータ１７１２とは、ＬＡＮ１５１１と無線端末１３１１と無線端末１３１２とＬＡＮ１５１２とを介して任意にデータを送受信することができる。
【００７３】
具体的に説明すると、例えば、コンピュータ１７１１がコンピュータ１７１２にデータを送信するとする。この場合、コンピュータ１７１１は、コンピュータ１７１２のＭＡＣアドレス及びIPアドレス、自己のＭＡＣアドレス及びIPアドレス、送信対象データ、等を含むＬＡＮフレームを、ＬＡＮ１５１１に出力する。
【００７４】
このＬＡＮフレームは、無線端末１３１のモデム１３２に送信される。モデム１３２の無線ヘッダ処理部１３３は、管理メモリ１３５の内容に従って、相手局コールサインとして無線端末１３１２のコールサイン、自局コールサインとして無線端末１３１１のコールサインを設定して、無線フレームを生成する。この無線フレームは、アマチュア無線送受信機１３６によりアマチュア無線により送信される。
【００７５】
このとき、通信チャネルの関係で、無線端末１３１２〜１３１ｎは、無線端末１３１１からの無線信号を受信できない。
一方、無線中継局１１１は、自己の管轄エリア内の無線端末１３１１からの無線信号をアマチュア無線送受信機１１４で受信し、無線フレームを復号して、コールサイン照合部１１２に供給する。コールサイン照合部１１２は、無線ヘッダ内の相手局コールサインが、管理メモリ１１３に登録されている無線端末１３１２のコールサインに一致することを判別し、無線フレームをアマチュア無線送受信機１１４で再送する。
【００７６】
無線端末１３１１〜１３１ｎは、無線中継局１１１からの無線信号をアマチュア無線送受信機１３６で受信し、無線フレームを復号して、モデム１３２に提供する。モデム１３２のコールサイン照合部１３４は、無線ヘッダ内の相手局コールサインが、自己のコールサインに一致するか否かを判別する。すると、無線端末１３１２のコールサイン照合部１３４だけが、一致すると判別し、他は不一致と判別する。
【００７７】
以後の動作は、前述の直接通信の場合と同一であり、無線端末１３１２だけが、受信した無線フレームからＬＡＮフレームを再生し、ＬＡＮ１５１２上に出力する。
【００７８】
このようにして、同一エリア内のコンピュータ１７は、無線端末１３間のアマチュア無線による直接通信によりデータ転送が可能である。このとき、無線中継局１１によるデータの再送信等による妨害も存在しない。
【００７９】
３．他エリアのコンピュータ間で、データ通信を行う方法
次に、異なるエリアに属すコンピュータ１７同士がデータ通信を行う方法を、エリア１に属すＬＡＮ１５１１上のコンピュータ１７１１とエリア２に属すＬＡＮ１５２１上のコンピュータ１７２１とがデータ通信を行う場合を例に説明する。
【００８０】
この場合、予め、無線端末１３１１の管理メモリ１３５に、相手局コールサインとして無線端末１３２１のコールサインを設定し、無線端末１３２１の管理メモリ１３５に、相手局コールサインとして無線端末１３１１のコールサインを設定しておく。
【００８１】
このような設定とすることにより、ＬＡＮ１５１１とＬＡＮ１５２１とは、直接接続されたに等価な状態になり、ＬＡＮ１５１１上のコンピュータ１７１１とＬＡＮ１５２１上のコンピュータ１７２１とは、ＬＡＮ１５１１と無線端末１３１１と無線中継局１１１と幹線ＭＬと無線中継局１１２と無線端末１３２１とＬＡＮ１５２１とを介して任意にデータを送受信することができる。
【００８２】
具体的に説明する。例えば、コンピュータ１７１１がコンピュータ１７２１にデータを送信するとする。この場合、コンピュータ１７１１は、コンピュータ１７２１のＭＡＣアドレス及びIPアドレス、自己のＭＡＣアドレス及びＩＰアドレスなどを含むＬＡＮフレームを生成して、ＬＡＮ１５１１に出力する。
【００８３】
このＬＡＮフレームは、無線端末１３１１のモデム１３２に送信される。モデム１３２の無線ヘッダ処理部１３３は、管理メモリ１３５の内容に従って、相手局コールサインとして無線端末１３２１のコールサインを含み、自局コールサインとして無線端末１３１１のコールサインを含む無線ヘッダを生成して、無線フレームを合成する。この無線フレームは、アマチュア無線送受信機１３６によりアマチュア無線により送信される。
【００８４】
無線中継局１１１は、自己の管轄エリア内の無線端末１３１１からの無線信号をアマチュア無線送受信機１１４で受信し、無線フレームを復号して、コールサイン照合部１１２に供給する。コールサイン照合部１１２は、無線ヘッダ内の相手局コールサインが、管理メモリ１１３に登録されているコールサインに一致しないと判別し、宛先が他のエリアであると判断する。コールサイン照合部１１２は、無線フレームをＩＦ１１１を介してそのまま幹線ＭＬ上に出力する。無線フレームは、幹線ＭＬ上を伝送される（伝送方法は、幹線ＭＬの方式による）。
【００８５】
各無線中継局１１１〜１１３はこの無線フレームをＩＦ１１１を介して取り込みコールサイン照合部１１２に供給する。コールサイン照合部１１２は、受信した無線フレーム内の無線ヘッダ内の相手局コールサインが、管理メモリ１１３に登録されているコールサインに一致するか否かを判別する。
【００８６】
この例では、無線中継局１１２以外の無線中継局１１は、一致しないと判別し、この無線フレームを破棄するか又はＩＦ１１１を幹線ＭＬに再度出力する（破棄するか再送するかは、幹線ＭＬの仕様による）。
【００８７】
一方、この無線フレームが無線中継局１１２に到達し、無線中継局１１２がこれを取り込むと、コールサイン照合部１１２が、無線ヘッダ内の相手局コールサインが、管理メモリ１１３に登録されている無線端末１３２１のコールサインに一致すると判別する。すると、コールサイン照合部１１２は、受信した無線フレームをアマチュア無線送受信機１１４でエリア２内の無線端末１３２１〜１３２ｍに送信する。
【００８８】
無線端末１３２１〜１３２ｍは、無線中継局１１２からのアマチュア無線信号をアマチュア無線送受信機１３６で受信し、復調した無線フレームをモデム１３２に供給する。
【００８９】
無線端末１３２１〜１３２ｍのモデム１３２のコールサイン照合部１３４は、無線ヘッダに含まれている相手局コールサインと自己のコールサインとを比較し、無線端末１３２１だけが、一致すると判別する。従って、
【００９０】
無線端末１３２１の無線ヘッダ処理部１３３だけが、受信した無線フレームからＬＡＮフレームを再生して、ＬＡＮＩＦ１３１を介して、ＬＡＮ１５２１上に出力する。ＬＡＮ１５２１上のコンピュータ１７２１は、伝送されているＬＡＮフレームの宛先アドレスをチェックし、自己宛であれば、これを取り込んで処理し、自己宛でなければ、これを無視する。
【００９１】
このようにして、異なるエリアに属すコンピュータ１７であっても、アマチュア無線により、データ転送が可能である。
【００９２】
４．ネットワークシステム内のコンピュータとシステムの外部のコンピュータとの間で、データ通信を行う方法
次に、ネットワークシステム内のコンピュータとシステムの外部のコンピュータとの間で、データ通信を行う方法を、エリア１に属すＬＡＮ１５１１上のコンピュータ１７１１とインターネット上に位置するコンピュータとがデータ通信を行う場合を例に説明する。
【００９３】
この場合、予め、無線端末１３１１の管理メモリ１３５に、相手局コールサインとしてルータ２１のコールサインを設定しておく。
【００９４】
このような設定とすることにより、ＬＡＮ１５１１とルータ２１とが、直接接続されたに等価な状態になり、ＬＡＮ１５１１上のコンピュータ１７１１をインターネットに接続することが可能となる。
【００９５】
具体的に説明する。例えば、ルータ２１が位置するエリア２とは異なるエリア１に位置するコンピュータ１７１１がインターネット２３上の任意のサイトのホームページにアクセスするとする。この場合、コンピュータ１７１１は、参照したいホームページ等のＩＰアドレスを指定し、このIPアドレスを含むＬＡＮフレームをＬＡＮ１５１１に出力する。
【００９６】
このＬＡＮフレームは、無線端末１３１１のモデム１３２に送信される。モデム１３２の無線ヘッダ処理部１３３は、管理メモリ１３５の内容に従って、相手局コールサインとしてルータ２１のコールサインを含み、自局コールサインとして無線端末１３１１のコールサインを含む無線ヘッダを生成して、無線フレームを合成する。この無線フレームは、アマチュア無線送受信機１３６によりアマチュア無線により送信される。
【００９７】
無線中継局１１１は、無線端末１３１１からの無線信号をアマチュア無線送受信機１１４で受信し、無線フレームを復号して、コールサイン照合部１１２に供給する。コールサイン照合部１１２は、無線ヘッダ内の相手局コールサインが、管理メモリ１１３に登録されているコールサインに一致しないと判別し、無線フレームをＩＦ１１１を介してそのまま幹線ＭＬ上に出力する。
無線フレームは、幹線ＭＬ上を伝送される（伝送方法は、幹線ＭＬの方式による）。
【００９８】
この無線フレームが無線中継局１１２に到達し、無線中継局１１２がこれを取り込むと、コールサイン照合部１１２が、無線ヘッダ内の相手局コールサインが、管理メモリ１１３に登録されているルータ２１のコールサインに一致すると判別する。すると、コールサイン照合部１１２は、受信した無線フレームをルータ２１に転送する。
【００９９】
ルータ２１は、ＩＦ２１１を介してこの無線フレームを受信する。無線ヘッダ処理部２１３は、無線ヘッダに含まれている自局コールサインとＬＡＮフレームに含まれている送信元のIPアドレス（コンピュータ１７１１のIPアドレス）とを読み出し、対照表に対応付けて登録する。続いて、ＬＡＮフレームを抽出し、ＧＷ２１５に供給する。
【０１００】
ＧＷ２１５は、プロトコル変換などを行った後、要求をインターネット２３上に出力する。
【０１０１】
インターネット２３上の、アクセス対象のホームページを格納したサーバは、要求に応答して、ホームページをこのルータ２１に送信する。
ルータ２１のＧＷ２１５は、このホームページを受信し、ＬＡＮフレームを構築し、無線ヘッダ処理部２１３に供給する。
【０１０２】
無線ヘッダ処理部２１３は、ＬＡＮフレーム内の送信先のIPアドレスを抽出し、これをキーとして対照表を検索し、コールサインを検出する。即ち、このホームページを要求したコンピュータ１７１１が接続されている無線端末１３１１のコールサインを読み出す。無線ヘッダ処理部２１３は、読み出したコールサインを相手局コールサインとし、自己のコールサインを自局コールサインとして無線ヘッダを生成し、無線フレームを合成して無線中継局１１２に供給する。
【０１０３】
無線中継局１１２のコールサイン照合部は、管理メモリ１１３を参照して、相手局コールサインが自己の管轄エリアに存在しないと判別し、無線フレームを幹線ＭＬ上に出力する。
【０１０４】
この無線フレームが無線中継局１１１に到達し、無線中継局１１１がこれを取り込むと、コールサイン照合部１１２が、無線ヘッダ内の相手局コールサインが、管理メモリ１１３に登録されている無線端末１３１１のコールサインに一致すると判別する。すると、コールサイン照合部１１２は、受信した無線フレームをアマチュア無線送受信機１１４に転送する。無線送受信機１１４は、無線フレームをアマチュア無線で送信する。
【０１０５】
無線端末１３１１〜１３１ｎは、無線中継局１１１からのアマチュア無線信号をアマチュア無線送受信機１３６で受信し、復調した無線フレームをモデム１３２に供給する。
【０１０６】
無線端末１３１１〜１３１ｎのモデム１３２のコールサイン照合部１３４は、無線ヘッダに含まれている相手局コールサインと自己のコールサインとを比較し、無線端末１３１１だけが、一致すると判別する。従って、無線端末１３１１の無線ヘッダ処理部１３３だけが、受信した無線フレームからＬＡＮフレームを再生して、ＬＡＮＩＦ１３１を介して、ＬＡＮ１５１１上に出力する。ＬＡＮ１５１１上のコンピュータ１７１１は、伝送されているＬＡＮフレームの宛先アドレスをチェックし、自己宛であると判断して、これを取り込んで処理し、ホームページを表示する。
【０１０７】
次に、ルータ２１が位置するエリア２に位置するコンピュータ１７２１がインターネット２３上の任意のサイトのホームページにアクセスするとする。この場合、コンピュータ１７２１等は、参照したいホームページのIPアドレスを含むＬＡＮフレームを生成し、ＬＡＮ１５１１に出力する。
【０１０８】
このＬＡＮフレームは、無線端末１３２１のモデム１３２に送信される。モデム１３２の無線ヘッダ処理部１３３は、相手局コールサインとしてルータ２１のコールサインを含む無線ヘッダを生成して、無線フレームを合成する。この無線フレームは、アマチュア無線送受信機１３６によりアマチュア無線により送信される。
【０１０９】
無線中継局１１２は、無線端末１３２１からの無線信号をアマチュア無線送受信機１１４で受信し、無線フレームを復号して、コールサイン照合部１１２に供給する。コールサイン照合部１１２は、無線ヘッダ内の相手局コールサインが、管理メモリ１１３に登録されているコールサインに一致すると判別し、無線フレームをルータ２１に出力する。
【０１１０】
ルータ２１は、この無線フレームを受信し、無線ヘッダに含まれている自局コールサインとＬＡＮフレームに含まれている送信元のIPアドレスとを読み出し、対照表に対応付けて登録する。続いて、ＬＡＮフレームを抽出し、ＧＷ２１５に供給する。
【０１１１】
無線ヘッダ処理部２１３は、ＬＡＮフレーム内の送信先のIPアドレスを抽出し、これをキーとして対照表を検索し、コールサインを検出する。即ち、このホームページを要求したコンピュータ１７２１が接続されている無線端末１３２１のコールサインを読み出す。無線ヘッダ処理部２１３は、読み出したコールサインを相手局コールサインとして無線ヘッダを生成し、無線フレームを合成して無線中継局１１２に供給する。
【０１１２】
無線中継局１１２のコールサイン照合部１１２は、管理メモリ１１３を参照して、相手局コールサインが自己の管轄エリアであると判別し、受信した無線フレームをアマチュア無線送受信機１１４に転送する。アマチュア無線送受信機１１４は、無線フレームをアマチュア無線で送信する。
【０１１３】
この無線信号を、無線端末１３２１だけが再生し、ＬＡＮ１５２１上に出力する。このようにして、コンピュータ１７２１は要求したホームページを取得するすることができる。
【０１１４】
以上説明したように、この実施の形態によれば、単に無線へッダの付加や削除を行うだけで、ＬＡＮフレームの構造をそのままの形で他のＬＡＮに転送するようにしたので、無線端末装置に、プロトコル変換やルーター機能をもたせる必要がなく、余分な負荷がかからない。そのため、プロトコルサーバー等を別途設ける必要がない。
【０１１５】
また、中継装置に、相手局コールサインに基づくルーティング機能をもたせたので、無線フレームを再度組み立てたりする処理を行う必要なしに、広域なネットワークを実現することができる。
【０１１６】
中継装置にネットワークアドレス割当部を設けたので、各無線端末に接続されたＬＡＮ間で共用することができる。
【０１１７】
なお、この発明は、上記実施の形態に限定されず、種々の変形及び応用が可能である。
【０１１８】
例えば、上記実施の形態では、ＬＡＮ１５をイーサネットで構成する例を示したが、ＬＡＮ１５の仕様は任意であり、例えば、トークンリング方式のＬＡＮなどから構成されてもよい。
【０１１９】
上記実施の形態では、無線端末１３の管理メモリ１３５に登録される相手局コールサインを１台のコンピュータ１７のＵＳＢで変更する例を示したが、ＬＡＮ１５に接続されている任意のコンピュータ１７から、管理メモリ１３５に登録されている相手局コールサインを変更できるようにしてもよい。このためには、例えば、図８に示すように、ＬＡＮ１５上を伝送されるコマンドを解析するコマンド解析部１４１と、コマンド解析部１４１が解析したコマンドに応答して、管理メモリ１３５やアマチュア無線送受信機１３６を制御するコントローラ１４２とを配置する。そして、コンピュータ１７から相手局コールサインや通信チャネルを指定できるようにする。
【０１２０】
この場合、例えば、コンピュータ１７から相手局コールサインや通信チャネルを変更するコマンドを発行すると、コマンド解析部１４１がこのコマンドを解析し、コントローラ１４２がコマンドに従って、相手局コールサインを変更し、或いは、通信チャネルの割り当てを変更する。このような構成によれば、コンピュータ１７で任意の相手局と通信チャネルを指定し、且つ、そのコンピュータ１７から送信対象のデータ等を送信するようなことも可能となる。
【０１２１】
図７において、対照表にコールサイン（無線端末１３のコールサイン）とＩＰアドレス（コンピュータ１７のＩＰアドレス）との対を登録したが、例えば、コールサインとアクセス先（インターネット２３上のサイトのＩＰアドレス）との対、或いは、コールサインとアクセス元及びアクセス先のＩＰアドレスとの３つを対応付けて登録してもよい。さらに、コールサインとＭＡＣアドレス、或いは、これらとＩＰアドレスとを対応付けて登録してもよい。また、送信元の無線端末１３のコールサインを特定できるならば、任意のデータを登録可能であり、さらに、他の手法を採用することも可能である。
【０１２２】
例えば、上記実施の形態においては、全ての無線中継局１１にＤＨＣＰ１９を接続したが、１台の無線中継局１１にシステム全体のＩＰアドレスを管理するＤＨＣＰ１９を接続するようにしてもよい。また、上記実施の形態においては、１台の無線中継局１１２にルータ２１を接続したが、複数台又は全ての無線中継局１１にインターネット２１に接続するためのルータを接続してもよい。
【０１２３】
また、上記実施の形態で例示したシステム構成、ハードウエア構成、動作等は、実質的に同一の機能を実現できるならば、任意に変更可能である。
【０１２４】
【発明の効果】
以上説明したように、この発明によれば、簡単な構成で、アマチュア無線を用いてた、高速データ通信が可能となる。
また、本発明によれば、簡単な構成で、アマチュア無線を用いてデータ通信が可能となる。
【図面の簡単な説明】
【図１】本発明の実施形態に係るネットワークシステムの全体の構成を示す図である。
【図２】図１に示す無線端末の構成の一例を示す図である。
【図３】ＬＡＮフレーム、無線フレーム、管理メモリの内容を示す図である。
【図４】図１に示す無線中継局の構成を示す図である。
【図５】図５に示す無線中継局の管理メモリに格納される情報を例示する図である。
【図６】図１に示すＤＨＣＰの構成を示す図である。
【図７】図１に示すルータの構成を示す図である。
【図８】無線中継局の構成の変形例を示す図である。
【符号の説明】
１１        無線中継局
１３        無線端末
１５        ＬＡＮ
１７        コンピュータ（データ処理装置）
１９        ＤＨＣＰ（ネットワークアドレス割当部）
２１        ルータ
【図１】
0003809365.tif 000002
【図２】
0003809365.tif 000003
【図３】
0003809365.tif 000004
【図４】
0003809365.tif 000005
【図５】
0003809365.tif 000006
【図６】
0003809365.tif 000007
【図７】
0003809365.tif 000008
【図８】
0003809365.tif 000009